(57)【要約】【課題】筐体の内部構造に関する関係情報に対するアクセスを容易にする。【解決手段】建築物に設置された建築設備に関する情報の表示システムは、建築物を撮影した撮影画像３１に含まれる複数の建築設備のうち筐体を開けた内部構造に関する関係情報を有する建築設備を他の建築設備と区別して表示し、他の建築設備と区別して表示された建築設備の撮影画像３１に対する操作に応じて、建築設備の筐体を開けた状態を撮影した内部撮影画像３３を表示し、内部撮影画像３３に対する操作により、管理情報５１を表示する。【選択図】図１１
2019061451.tif 000002
【特許請求の範囲】
【請求項１】
建築物に設置された建築設備に関する情報の表示システムであって、
前記建築物を撮影した撮影画像に含まれる複数の建築設備のうち筐体を開けた内部構造に関する関係情報を有する建築設備を他の建築設備と区別して表示し、
前記他の建築設備と区別して表示された前記建築設備の前記撮影画像に対する操作に応じて、当該建築設備の前記筐体を開けた状態を撮影した内部撮影画像を表示し、
前記内部撮影画像に対する操作により、前記関係情報を表示することを特徴とする建築設備に関する情報の表示システム。
【請求項２】
前記内部撮影画像が表示される前記建築設備の前記撮影画像に対して、前記筐体の開けられる箇所を示す展開可能表示を行うことを特徴とする請求項１記載の建築設備に関する情報の表示システム。
【請求項３】
前記展開可能表示は、前記建築設備を囲む枠画像を含むことを特徴とする請求項２記載の建築設備に関する情報の表示システム。
【請求項４】
前記内部撮影画像に対して、前記関係情報が表示可能であること示す特定表示を行うことを特徴とする請求項２記載の建築設備に関する情報の表示システム。
【請求項５】
前記特定表示は、前記展開可能表示と表示態様が異なることを特徴とする請求項４記載の建築設備に関する情報の表示システム。
【請求項６】
前記建築設備の前記撮影画像に対し、前記展開可能表示に加えて、当該建築設備に関するテキスト情報を表示し、
前記建築設備の前記内部撮影画像が表示された際には、前記テキスト情報の表示態様を変化させることを特徴とする請求項２記載の建築設備に関する情報の表示システム。
【請求項７】
建築設備を撮影した撮影画像のうち特定の建築設備の撮影画像に対する操作に応じて、当該特定の建築設備の筐体を開けた状態を撮影した内部撮影画像を表示する内部画像表示手段と、
前記内部撮影画像に対する操作により、前記特定の建築設備の前記筐体を開けた内部構造に関する関係情報を表示する関係情報表示手段と、
を備えることを特徴とする表示装置。
【請求項８】
表示装置として機能するコンピュータに、
建築設備を撮影した撮影画像において特定の建築設備の撮影画像に対する操作に応じて、当該特定の建築設備の筐体を開けた状態を撮影した内部撮影画像を表示する機能と、
前記内部撮影画像に対する操作により、前記特定の建築設備の前記筐体を開けた内部構造に関する関係情報を表示する機能と、
を実現させるプログラム。
【発明の詳細な説明】
【技術分野】
【０００１】
本発明は、建築設備に関する情報の表示システム、表示装置およびプログラムに関する。
【背景技術】
【０００２】
例えば特許文献１には、構成要素の集合として三次元モデルで表される建築物の維持管理に関する記録である管理履歴情報に基づいて、管理履歴情報が存在することを示し、且つ、前記三次元モデルと共に表示するためのオブジェクトを生成する生成ステップと、生成された前記オブジェクトを出力するステップとをコンピュータが実行する建築物管理支援方法が記載されている。
【先行技術文献】
【特許文献】
【０００３】
【特許文献１】特開２０１７−４２２７号公報
【発明の概要】
【発明が解決しようとする課題】
【０００４】
従来、建築物に設置される建築設備に関する例えば取扱説明書などの関係情報は、紙ファイルとしてまとめられていた。そして、この紙ファイルは、膨大な数に及ぶ場合がある。
そこで、建築設備を撮影した撮影画像に電子化された関係情報を紐付けることが考えられる。しかしながら、建築設備の中には、筐体が開閉可能に構成される建築設備がある。このような建築設備においては、建築設備の外観の撮影画像に対して内部構造に関する関係情報を単に紐付けても、建築設備の外観と内部との見た目が異なることから、ユーザの利便性は向上し難い。
本発明は、筐体の内部構造に関する関係情報に対するアクセスを容易にすることを目的とする。
【課題を解決するための手段】
【０００５】
かかる目的のもと、本発明は、建築物に設置された建築設備に関する情報の表示システムであって、前記建築物を撮影した撮影画像に含まれる複数の建築設備のうち筐体を開けた内部構造に関する関係情報を有する建築設備を他の建築設備と区別して表示し、前記他の建築設備と区別して表示された前記建築設備の前記撮影画像に対する操作に応じて、当該建築設備の前記筐体を開けた状態を撮影した内部撮影画像を表示し、前記内部撮影画像に対する操作により、前記関係情報を表示することを特徴とする建築設備に関する情報の表示システムである。
ここで、前記内部撮影画像が表示される前記建築設備の前記撮影画像に対して、前記筐体の開けられる箇所を示す展開可能表示を行うことを特徴とすることができる。
そして、前記展開可能表示は、前記建築設備を囲む枠画像を含むことを特徴とすることができる。
さらに、前記内部撮影画像に対して、前記関係情報が表示可能であること示す特定表示を行うことを特徴とすることができる。
そして、前記特定表示は、前記展開可能表示と表示態様が異なることを特徴とすることができる。
さらに、前記建築設備の前記撮影画像に対し、前記展開可能表示に加えて、当該建築設備に関するテキスト情報を表示し、前記建築設備の前記内部撮影画像が表示された際には、前記テキスト情報の表示態様を変化させることを特徴とすることができる。
また、かかる目的のもと、本発明は、建築設備を撮影した撮影画像のうち特定の建築設備の撮影画像に対する操作に応じて、当該特定の建築設備の筐体を開けた状態を撮影した内部撮影画像を表示する内部画像表示手段と、前記内部撮影画像に対する操作により、前記特定の建築設備の前記筐体を開けた内部構造に関する関係情報を表示する関係情報表示手段と、を備えることを特徴とする表示装置である。
さらにまた、かかる目的のもと、本発明は、表示装置として機能するコンピュータに、建築設備を撮影した撮影画像において特定の建築設備の撮影画像に対する操作に応じて、当該特定の建築設備の筐体を開けた状態を撮影した内部撮影画像を表示する機能と、前記内部撮影画像に対する操作により、前記特定の建築設備の前記筐体を開けた内部構造に関する関係情報を表示する機能と、を実現させるプログラムである。
【発明の効果】
【０００６】
本発明によれば、建築物に設置される建築設備に関する関係情報に対するアクセスが容易になる。
【図面の簡単な説明】
【０００７】
【図１】本実施形態が適用される建築設備に関する情報の表示方法の概要図である。
【図２】本実施形態の建築設備に関する情報の表示方法を実現する機能ブロック図である。
【図３】本実施形態の撮影画像の説明図である。
【図４】本実施形態のフロア図表示部が表示する表示内容の一例の図である。
【図５】本実施形態のフロア平面図の一例を示す図である。
【図６】本実施形態のフロア平面図の詳細図である。
【図７】本実施形態の管理情報表示部による表示の一例を示す図である。
【図８】本実施形態の管理情報の表示の一例を示す図である。
【図９】本実施形態の特別情報表示部による表示の一例を示す図である。
【図１０】本実施形態の内部情報表示部による表示の一例を示す図である。
【図１１】本実施形態の内部情報表示部による表示の一例を示す図である。
【図１２】本実施形態の計器情報表示部による表示の一例を示す図である。
【図１３】本実施形態の扉情報表示部による表示の一例を示す図である。
【図１４】本実施形態の接続先情報表示部による表示の一例を示す図である。
【図１５】撮影画像の表示の変化に伴う他の画像の表示の説明図である。
【図１６】本実施形態に係る端末装置を構成するハードウェア構成例を示す図である。
【発明を実施するための形態】
【０００８】
以下、添付図面を参照して、本発明を実施するための形態について説明する。
図１は、本実施形態が適用される建築設備に関する情報の表示の概要図である。
【０００９】
図１に示すように、本実施形態が適用される建築設備に関する情報の表示では、端末装置１は、建築設備を含む建築物を撮影した撮影画像３１と、設置されている建築設備を含む建築物のフロア平面図４１と、建築設備の管理に関わる管理情報５１（関係情報の一例）とを保持している。
そして、建築設備に関する情報の表示では、撮影画像３１において特定の建築設備に貼られたリンクが操作（指示）されると、端末装置１の画像表示面１１に、特定の建築設備に対応する管理情報５１が表示されるようになっている。
【００１０】
以下、図１を参照しながら、建築物における所定のフロアに設置される特定の建築設備のメンテナンスを行うときを一例とし、より具体的に説明する。
図１（Ａ）に示すように、ユーザは、端末装置１を持ち、建築物において特定の建築設備が設置されたフロアに向かう。このとき、端末装置１の画像表示面１１には、撮影画像３１およびフロア平面図４１が表示されている。
そして、図１（Ｂ）に示すように、例えばユーザが特定の建築設備の前に到着する。このとき、ユーザは、端末装置１の画像表示面１１に表示されるフロア平面図４１を参照したり、撮影画像３１を操作したりすることで、特定の建築設備が映された撮影画像３１を表示させる。
【００１１】
その後、ユーザは、撮影画像３１における特定の建築設備に貼られたリンクを操作（指示）する。そうすると、図１（Ｃ）に示すように、端末装置１の画像表示面１１に、特定の建築設備に対応する管理情報５１が表示される。
【００１２】
なお、管理情報５１は、例えば建築設備に関する、取扱説明書、操作方法が記載されたマニュアル、障害発生時の対応マニュアル、カタログ、メンテナンス情報など建築設備に関する各種の関係情報を電子化した電子文書である。
【００１３】
このように、本実施形態の建築設備に関する情報の表示では、ユーザが、実際に目の前にある実物の建築設備と、画像表示面１１に表示される建築設備の撮影画像３１とを確認できる。そのため、ユーザは、直感的な操作に基づいて、対象とする建築設備に関する関係情報に容易にアクセス可能になっている。
【００１４】
なお、本実施形態の説明において、建築物には、オフィスビル、病院、公共施設、インフラ施設などの建築設備が設置される各種の建築物が含まれる。また、建築設備には、電気設備、空気調和（空調）設備、衛生設備、ガス設備、防災設備、給排水設備など各種設備機器が含まれる。
【００１５】
また、本実施形態においては、端末装置１は、ユーザが建築物において端末装置１を持ち歩きながら、使用することを想定しているため、携帯型の端末であることが好ましい。ただし、端末装置１は、設置型の端末であっても構わない。
さらに、本実施形態の端末装置１は、画像表示面１１がタッチパネルによって構成されている。すなわち、画像表示面１１は、ユーザからの操作を受け付ける操作手段としても機能する。ただし、画像表示面１１は、タッチパネルに限定されず、マウスやキーボード等によって操作されるものでも良い。
【００１６】
なお、本実施形態の説明において、端末装置１の画像表示面１１に表示される画像に対するタッチ操作や、画像表示面１１に表示される画像に対するマウスやキーボード等による操作のことを、単に「操作」と呼ぶ場合がある。
以下、本実施形態の建築設備に関する情報の表示について詳細に説明する。
【００１７】
図２は、本実施形態の建築設備に関する情報の表示を実現する機能ブロック図である。
本実施形態では、設備に関する情報の表示の機能ブロックは、端末装置１の制御部（不図示）によって実現される。
【００１８】
図２に示すように、端末装置１は、建築物に設置される建築設備を含む建築物の内外部を撮影した撮影画像３１を表示する撮影画像表示部２１と、建築物のフロアごとの平面図を表示させるフロア図表示部２２と、建築設備に関する関係情報を表示する関係情報表示部２３と、を有している。
【００１９】
〔撮影画像表示部２１〕
図３は、本実施形態の撮影画像３１の説明図である。
撮影画像表示部２１は、ユーザの操作に基づいて、撮影画像３１を画像表示面１１に表示させる。本実施形態において、撮影画像３１は、各フロアにて、複数の撮影地点で撮影されている。さらに、本実施形態の撮影画像３１は、各撮影地点にて全周方向（全方向、３６０°）を撮影した画像である。そして、撮影画像表示部２１は、撮影画像３１に対する視線を動かす操作に基づいて、操作に対応する角度の視線での撮影画像３１を画像表示面１１に表示する。
【００２０】
例えば、図３（Ａ）に示すように、ある撮影地点にて撮影した撮影画像３１が画像表示面１１に表示される。この撮影画像３１に対して、指などのスライド操作、マウスなどによるドラッグ移動操作（以下、「移動操作」と呼ぶ）を行うことで、ある撮影地点における視線の向き（視野角度）を変更可能になっている。
【００２１】
例えば、図３（Ａ）に示す撮影画像３１に対して右側に向けた移動操作を行うと、図３（Ｂ）に示すように、撮影画像３１の内容は、同じ撮影地点から右側に視線を向けたときのものになる。同様に、左側に向けた移動操作を行うと、図３（Ｃ）に示すように、同じ撮影地点にて左側に視線を向けた撮影画像３１が表示される。また、上側に向けた移動操作を行うと、図３（Ｄ）に示すように、同じ撮影地点にて上側に視線を向けた撮影画像３１が表示される。さらに、下側に向けた移動操作を行うと、図３（Ｅ）に示すように、同じ撮影地点にて下側に視線を向けた撮影画像３１が表示される。
なお、図示を省略しているが、後側に向けた移動操作を行うと、同じ撮影地点にて後側に向けた撮影画像３１が表示される。また、斜め方向に移動操作を行った場合には、斜めに視線を向けた撮影画像３１が表示される。
【００２２】
さらに、撮影画像表示部２１は、撮影画像３１が表示される画像表示面１１に対して、ユーザがピンチイン操作やピンチアウト操作やマウスホイールの回転操作（以下、「拡縮操作」と呼ぶ）を行うことで、撮影画像３１がズームインしたり、ズームアウトしたりするようになっている。
【００２３】
また、図３（Ａ）に示すように、撮影画像表示部２１は、撮影画像３１に撮影地点アイコン３２を表示する。撮影地点アイコン３２は、建築物にて全周方向の撮影を行った撮影地点を示すアイコン画像である。本実施形態では、撮影地点アイコン３２は、撮影画像３１における撮影空間内に表示される。そして、図３（Ａ）に示すように、ある撮影地点にて撮影された撮影画像３１上に表示される撮影地点アイコン３２は、異なる他の撮影地点を示すものである。
【００２４】
そして、撮影画像表示部２１は、撮影地点アイコン３２に対するユーザの操作を受け付けると、操作を受け付けた撮影地点アイコン３２に対応する撮影地点にて撮影した撮影画像３１を画像表示面１１に表示させる。
【００２５】
なお、本実施形態において、撮影画像３１には、上述したとおり、全周方向を撮影した画像を用いているが、この態様に限定されない。例えば、撮影画像３１は、被撮影領域が垂直方向よりも水平方向に長いパノラマ画像であっても良い。さらには、撮影画像３１は、ユーザの移動操作に基づいて画像（視線）が移動しないものでも良い。
【００２６】
〔フロア図表示部２２〕
図４は、本実施形態のフロア図表示部が表示する表示内容の一例の図である。
図５は、本実施形態のフロア平面図の一例を示す図である。
図６は、本実施形態のフロア平面図の詳細図である。
【００２７】
図４（Ａ）は、端末装置１にて本実施形態の建築設備に関する表示のアプリケーションを起動したときに画像表示面１１に表示される初期画面の例である。
そして、フロア図表示部２２は、各フロアのフロア平面図４１を選択するためのリストであるフロア選択リスト４７を初期画面として画像表示面１１に表示する。フロア選択リスト４７は、プルダウンリスト形式で表示される。また、本実施形態では、初期画面には、建築物の外観を撮影した撮影画像３１が表示され、その撮影画像３１上にフロア選択リスト４７が表示される。
【００２８】
フロア選択リスト４７は、各フロアを単位として複数の選択項目によって構成されている。さらに、本実施形態では、フロア選択リスト４７は、フロア内に複数の部屋がある場合には、部屋を単位として複数の選択項目によって構成される。例えば、図４（Ｂ）に示す例では、地下１階（Ｂ１Ｆ）には、５つの部屋が設けられている。従って、図４（Ａ）に示すように、フロア選択リスト４７には、地下１階の５つの部屋に対応して、５つの選択項目が設けられている。
なお、本実施形態のフロア選択リスト４７では、リストの上段から下段にかけて、建築物の上のフロアから下のフロアが並ぶように配置される。
【００２９】
そして、図４（Ｂ）に示すように、フロア図表示部２２は、選択されたリスト項目に対応するフロア平面図４１を画像表示面１１に表示する。
フロア図表示部２２は、フロア平面図４１を撮影画像３１に重畳させて表示させる。本実施形態では、フロア図表示部２２は、フロア平面図４１を撮影画像３１よりも上位階層（ユーザ側）のレイヤに表示する。また、フロア平面図４１は、画像表示面１１における一部の領域に表示される。
【００３０】
図５（Ａ）に示すように、フロア平面図４１は、壁、柱および扉を含む建築構造要素４２と、設置される建築設備要素４３とを含んでいる。さらに、本実施形態のフロア平面図４１は、区画された部屋の部屋名称４４と、撮影地点を示す撮影地点番号４５とを含んでいる。さらに、フロア平面図４１は、撮影地点番号４５に対応付けて撮影画像３１の表示方向および表示範囲を示す描画表示４６を表示する。
【００３１】
撮影地点番号４５は、部屋ごとに通し番号で表示される。そして、各々の撮影地点番号４５には、撮影地点に対応する撮影画像３１のリンクが貼られている。そして、フロア図表示部２２は、ユーザによって撮影地点番号４５がクリック操作やタップ操作（以下、「選択操作」と呼ぶ）されると、対応する撮影地点にて撮影した撮影画像３１を画像表示面１１に表示させるための指示を撮影画像表示部２１に送る。
すなわち、本実施形態の設備に関する情報の表示では、画像表示面１１に表示されたフロア平面図４１のリンクを指示されたことにより、複数の撮影画像３１の中の特定の撮影画像３１が表示される。
【００３２】
また、本実施形態では、撮影地点番号４５は、特定の撮影地点番号４５（例えば、図５（Ａ）に示す「２番」）を他の撮影地点番号４５の色（例えば、青色）とは異なる色（例えば、赤色）で表示可能になっている。これによって、本実施形態では、後述する特別情報アイコン６２が表示される建築設備を含む撮影画像３１に対応する撮影地点番号４５を強調して表示することを可能にしている。
【００３３】
さらに、撮影地点番号４５は、あるフロアにおいて複数の部屋（区画）が存在する場合には、撮影画像３１として実際に表示されている部屋に対応するものだけを表示するようにしている。
例えば、画像表示面１１に「第１室」の撮影画像３１が表示されている場合、図５（Ａ）に示すように、フロア平面図４１には、「第１室」における複数の撮影地点番号４５が表示される。このとき、フロア平面図４１には、他の部屋における撮影地点番号４５の表示は行われない。
【００３４】
一方、例えば、画像表示面１１に「第２室」の撮影画像３１が表示されている場合、図５（Ｂ）に示すように、フロア平面図４１には、「第２室」における複数の撮影地点番号４５が表示される。このとき、他の部屋における撮影地点番号４５についての表示を消すようにしている。
【００３５】
なお、フロア平面図４１において撮影地点番号４５が表示される位置と、撮影画像表示部２１が表示する撮影地点アイコン３２（図３参照）が画像空間内において表示される位置とは、対応している。
そして、本実施形態の設備に関する情報の表示では、フロア平面図４１の撮影地点番号４５を選択操作することで、任意の撮影地点における撮影画像３１を表示させることができる。一方で、上述したように、撮影画像３１に表示される撮影地点アイコン３２を操作することでも、ユーザが選択した撮影地点における撮影画像３１を表示させることができる。すなわち、本実施形態では、フロア平面図４１と撮影画像３１との両方において、撮影地点（視点）の移動の操作が可能になっている。
【００３６】
図６（Ａ）に示すように、描画表示４６は、撮影画像３１が画像表示面１１に表示されている際に、その撮影画像３１の撮影地点に対応する撮影地点番号４５に対して表示される。すなわち、描画表示４６は、実際に表示している撮影画像３１がフロア平面図４１におけるどの撮影地点番号４５に対応するものであるかをユーザに対して明示する。
さらに、描画表示４６は、扇型の形状を有している。そして、描画表示４６は、扇の辺と辺とが、画像表示面１１に表示される撮影画像３１の視野角（画角）に対応している。つまり、描画表示４６の表示態様は、画像表示面１１に表示される撮影画像３１に対応している。
【００３７】
例えばユーザが移動操作をすることで撮影画像３１を左右方向に移動させると、図６（Ａ）に示す描画表示４６の向きが、図６（Ｂ）に示す描画表示４６のように回転移動する。
また、例えばユーザが拡縮操作をすることで撮影画像３１をズームインすると、図６（Ａ）に示す描画表示４６の扇の角度は、図６（Ｃ）に示す描画表示４６の扇の角度のように角度が小さくなる。逆に、例えばユーザが拡縮操作をすることで撮影画像３１をズームアウトすると、描画表示４６の扇の角度は、拡縮操作前に比べて大きくなる。
【００３８】
そして、フロア平面図４１は、建築物のフロア毎にそれぞれ作成されている。ただし、本実施形態では、フロア平面図４１として、建築設備が設置されておらず撮影画像３１が準備されていないフロアについては除いている。
【００３９】
なお、図４（Ａ）に示すように、初期画面に、撮影地点アイコン３２が表示されている。この初期画面における撮影地点アイコン３２を操作すると、地下１階の入口となる扉に最も近い撮影地点（撮影地点番号４５のうち地下１階の第１室の「１番」（図４（Ｂ）））に対応する撮影画像３１が表示されるようになっている。
例えば端末装置１を持ち歩きながら特定のフロアの特定の建築設備を目指す場合、ユーザは、まず、特定のフロアの入口から入室する。そこで、本実施形態では、初期画面に表示する撮影地点アイコン３２には、特定のフロアの入口に最も近い撮影位置で撮影された撮影画像３１のリンクを貼るようにしている。
【００４０】
なお、本実施形態においては、初期画面として表示される画像表示面１１に、まず、フロア選択リスト４７が表示されるようにしているが、この態様に限定されない。例えば、初期画面として表示される画像表示面１１に、予め定められたフロア平面図４１を表示するようにしても良い。この場合、例えばユーザにとって利用頻度や重要性が高いフロアを初期画面において優先的に表示することができる。
【００４１】
〔関係情報表示部２３〕
関係情報表示部２３は、撮影画像に含まれる複数の建築設備に対して、各々の建築設備ごとに建築設備に関する撮影画像情報に付加して関係情報の表示を行う。
【００４２】
図２に示すように、本実施形態の関係情報表示部２３は、建築設備の管理に関する管理情報を表示する管理情報表示部２３１と、特定の建築設備の存在を強調する特別情報表示部２３２と、筐体を開閉可能な建築設備について筐体内部構造の関係情報を表示する内部情報表示部２３３と、を有する。また、関係情報表示部２３は、計器を有する建築設備において計器の位置を明示する計器情報表示部２３４と、建築物の扉についての情報を表示する扉情報表示部２３５と、設備の詳細情報を表示する接続先情報表示部２３６と、を有する。
【００４３】
（管理情報表示部２３１）
図７は、本実施形態の管理情報表示部２３１による表示の一例を示す図である。
図８は、本実施形態の管理情報の表示の一例を示す図である。
【００４４】
図７（Ａ）に示すように、管理情報表示部２３１は、撮影画像３１において、管理情報５１を有する特定の建築設備に対し、管理情報明示枠６１（特定表示の一例）を重畳表示する。そして、管理情報表示部２３１は、特定の建築設備に対して管理情報明示枠６１を表示することで、建築設備に対応する管理情報５１を表示可能であることをユーザに明示する明示表示を行う。
【００４５】
管理情報明示枠６１は、管理情報５１を有する建築設備の輪郭を囲う枠画像によって表示される。これによって、管理情報表示部２３１は、管理情報５１が設けられた建築設備を他の建築設備よりも強調することで、対象の建築設備を他の建築設備と区別して表示する。
管理情報明示枠６１は、例えば、青色の枠によって構成される。この管理情報明示枠６１の表示色は、他の機能で用いられる色とは異なり区別化されている。
なお、本実施形態において、管理情報明示枠６１は、対象となる建築設備に対して全体的に表示しているが、この態様に限定されない。管理情報明示枠６１は、対象となる建築設備の一部分であっても良い。
【００４６】
なお、管理情報明示枠６１は、撮影画像３１において、管理情報５１がリンクされている建築設備を強調し、対象の建築設備と他の建築設備とを区別できれば、上述した枠画像の例に限定されない。管理情報表示部２３１は、撮影画像３１において、管理情報５１を有している建築設備に有色透明や白色透明の画像を重ねたり、模様を重ねたりしても良い。また、管理情報表示部２３１は、対象の建築設備を他の建築設備よりも明るく表示したり、点滅させたりしても良い。
【００４７】
そして、図７（Ｂ）に示すように、撮影画像３１において管理情報明示枠６１が付された建築設備上にカーソルやユーザの指を重ねる操作（以下、「重ね操作」と呼ぶ）を行うと、管理情報表示部２３１は、管理情報明示枠６１の枠線を重ね操作が行われる前よりも太くすることで、建築設備を更に強調する再強調表示（ハイライト）を行う。
【００４８】
そして、管理情報明示枠６１には、対応する建築設備の管理情報５１のリンクが貼られている。従って、管理情報表示部２３１は、撮影画像３１においてユーザによって管理情報明示枠６１が表示された建築設備が操作されると、図８に示すように、管理情報５１を画像表示面１１に表示させる。
本実施形態において、管理情報５１は、画像表示面１１において撮影画像３１に重畳させて表示する。特に、管理情報５１は、対応する建築設備の撮影画像３１と共に、画像表示面１１の一部に表示される。これによって、本実施形態では、建築設備と管理情報５１との対応関係をわかり易く表示している。
ただし、管理情報５１は、ユーザの操作等に応じて、画像表示面１１全体に表示しても構わない。
【００４９】
また、管理情報表示部２３１は、管理情報明示枠６１の再強調表示に伴って、建築設備の名称を示す建築設備名称６１１と、管理情報５１の名称を示す管理情報名称６１２とを撮影画像３１上に表示する。特に、本実施形態では、建築設備名称６１１は、対応する建築設備の撮影画像３１に重なるように表示される。
建築設備名称６１１は、建築設備の製品名、建築設備の型番、建築設備の製造番号など建築設備を特定できるものであれば良い。また、管理情報名称６１２は、管理情報明示枠６１にリンクされている管理情報５１を特定できるものであれば良い。例えば、管理情報名称６１２は、建築設備の取扱説明書の題名、マニュアルの題名、カタログの題名、または、各々の書類の一般名称を例示することができる。
【００５０】
以上説明したように、本実施形態では、撮影画像３１において特定の建築設備を管理情報明示枠６１で囲うとともに、管理情報明示枠６１で囲まれた建築設備に対応させてリンクを貼る。そして、ユーザが、管理情報明示枠６１で囲まれた建築設備に対して操作を行うことで、リンク先の管理情報５１が表示される。このように、本実施形態では、撮影画像３１において、特定の建築設備をアイコン化している。これによって、本実施形態の建築設備に関する情報の表示では、ユーザによる直感的な操作によって管理情報５１にアクセスできるようにしている。
【００５１】
（特別情報表示部２３２）
図９は、本実施形態の特別情報表示部２３２による表示の一例を示す図である。
図９（Ａ）に示すように、特別情報表示部２３２は、撮影画像３１において、特別情報５２を有する特定の建築設備に対し、特別情報アイコン６２を重畳表示する。そして、特別情報表示部２３２は、特別情報アイコン６２を特定の建築設備に対して表示することで、建築設備に対応する特別情報５２を表示できることをユーザに明示する。
【００５２】
特別情報アイコン６２は、本実施形態ではエクスクラメーションである「！」を模したアイコンである。特別情報アイコン６２は、対象となる建築設備に対応し、撮影画像３１において建築設備付近や建築設備と重なる位置に表示される。そして、本実施形態の特別情報アイコン６２は、対象となる建築設備あるいは対応付けられる特別情報５２の重要度が、他の建築設備や他の関係情報と比較して高いことを示す場合に用いられる。
【００５３】
そして、特別情報アイコン６２には、対応する建築設備の特別情報５２のリンクが貼られている。従って、特別情報表示部２３２は、撮影画像３１においてユーザによって特別情報アイコン６２が操作されると、図９（Ｂ）に示すように、画像表示面１１に特別情報５２を表示させる。
本実施形態において、特別情報５２は、画像表示面１１において撮影画像３１に重畳させて表示する。特に、特別情報５２は、対応する建築設備の撮影画像３１と共に、画像表示面１１の一部に表示される。これによって、本実施形態では、建築設備と特別情報５２との対応関係をわかり易く表示している。
ただし、特別情報５２は、ユーザの操作等に応じて、画像表示面１１全体に表示しても構わない。
【００５４】
特別情報５２は、建築設備において例えばエラーなどの障害が発生した場合に、操作パネル等に表示されるエラー表示の説明や、障害対応のための操作マニュアル等を例示できる。
ここで、建築設備に障害が発生した場合には、緊急性が求められることが想定される。そのため、本実施形態では、特別情報アイコン６２は、他の表示とは異ならせ、ユーザが重要度の高い特別情報５２によりアクセスし易くしている。
【００５５】
また、図９（Ｂ）に示すように、撮影画像３１において特別情報アイコン６２に対して重ね操作が行われると、特別情報表示部２３２は、建築設備名称６１１と、特別情報５２の名称を示す特別情報名称６２２とを撮影画像３１上に表示する。
特別情報名称６２２は、特別情報アイコン６２にリンクされている特別情報５２を特定できるものであれば良い。例えば、特別情報名称６２２は、建築設備のエラー表示の説明図の題名、操作マニュアルの題名、または、各々の書類の一般名称を例示することができる。
【００５６】
さらにまた、本実施形態では、フロア平面図４１において、特別情報アイコン６２（特別情報５２）が対応付けられた建築設備を撮影した撮影画像３１の撮影地点番号４５は、他の撮影地点番号４５と区別して表示するようにしている（図５（Ａ）参照）。
【００５７】
（内部情報表示部２３３）
図１０は、本実施形態の内部情報表示部２３３による表示の一例を示す図である。
図１１は、本実施形態の内部情報表示部２３３による表示の一例を示す図である。
【００５８】
図１０（Ａ）に示すように、内部情報表示部２３３（内部画像表示手段、関係情報表示手段の一例）は、撮影画像３１において、筐体の扉などの開閉部を開閉可能な建築設備の開閉部に対し、展開可能明示枠６３（展開可能表示、枠画像の一例）を重畳表示する。そして、内部情報表示部２３３は、建築設備の筐体の開閉部に対して展開可能明示枠６３を表示することで、筐体の扉が展開可能であることをユーザに示す展開可能表示を行う。
【００５９】
展開可能明示枠６３は、筐体の開閉部を開閉可能であって内部構造についての管理情報５１を有する建築設備の輪郭を囲う枠画像によって構成される。これによって、内部情報表示部２３３は、内部構造についての管理情報５１が設けられた建築設備を他の建築設備よりも強調することで、対象の建築設備を他の建築設備と区別して表示する。
展開可能明示枠６３は、例えば、赤色の枠によって構成される。この展開可能明示枠６３の表示色は、他の機能で用いられる色とは異なり区別化されている。このように、本実施形態では、撮影画像３１において特定の建築設備の筐体の開閉部（扉）を展開可能明示枠６３で囲うことにより、その特定の建築設備をアイコン化している。
【００６０】
なお、展開可能明示枠６３は、撮影画像３１において、筐体を開けられる建築設備を強調し、対象の建築設備と他の建築設備とを区別できれば、上述した枠画像の例に限定されない。内部情報表示部２３３は、撮影画像３１において、筐体を開けられる建築設備に有色透明や白色透明の画像を重ねたり、模様を重ねたりしても良い。また、内部情報表示部２３３は、対象の建築設備を他の建築設備よりも明るく表示したり、点滅させたりしても良い。この場合に、展開可能明示枠６３の表示態様は、例えば管理情報明示枠６１と異なっていれば良い。
【００６１】
そして、図１０（Ａ）に示す展開可能明示枠６３に対して重ね操作を行うと、図１０（Ｂ）に示すように、展開可能明示枠６３の枠画像の線を重ね操作が行われる前よりも太くすることで、建築設備を更に強調する再強調表示（ハイライト）を行う。これによって、内部情報表示部２３３は、ユーザに対して、展開可能明示枠６３を選択操作することで、後述する内部撮影画像３３が表示されるということをユーザに示唆する。
また、内部情報表示部２３３は、展開可能明示枠６３の強調に伴って、建築設備の名称を示す建築設備名称６１１を撮影画像３１上に表示する。
【００６２】
さらに、展開可能明示枠６３に対して選択操作が行われると、図１１（Ａ）に示すように、内部情報表示部２３３は、建築設備の筐体の開閉部を開けた状態で内部構造を撮影した内部撮影画像３３を画像表示面１１に表示させる。
このように、本実施形態では、ユーザが、実際に目の前にある実物の建築設備の筐体の内部と、画像表示面１１に表示される内部撮影画像３３とを比較して確認できる。
【００６３】
さらに、内部撮影画像３３に対しては、上述した管理情報明示枠６１が表示される。本実施形態では、管理情報明示枠６１は、開閉部（扉）の枠に沿って設けられる。そして、内部情報表示部２３３は、内部撮影画像３３に対応して表示される管理情報明示枠６１に対するユーザの操作が行われると、内部構造に関する管理情報５１を画像表示面１１に表示させる（図８参照）。
【００６４】
なお、内部撮影画像３３に表示される管理情報明示枠６１に対して操作を行い、管理情報５１が表示されるまでの表示の内容は、図７および図８を参照しながら説明した管理情報表示部２３１による表示の内容と同様である。また、本実施形態において、展開可能明示枠６３とともに建築設備名称６１１が表示されていた状態（図１０（Ｂ））から、管理情報明示枠６１とともに建築設備名称６１１に加えて管理情報名称６１２が表示された状態（図１１（Ｂ））になる。すなわち、建築設備の内部撮影画像３３が表示された際、テキスト情報の表示態様は、内部撮影画像３３が撮影される前に対して変化する。
【００６５】
（計器情報表示部２３４）
図１２は、本実施形態の計器情報表示部２３４による表示の一例を示す図である。
図１２（Ａ）に示すように、計器情報表示部２３４は、撮影画像３１において、計器を有する建築設備の少なくとも計器（メータ）に対して計器表示枠６４を重畳表示する。そして、計器情報表示部２３４は、計器表示枠６４を表示することで、計器の位置をユーザに明示する。
【００６６】
計器表示枠６４は、例えば水道管など設備の一部であって、計器の輪郭を囲う枠画像によって表示される。これによって、計器情報表示部２３４は、撮影画像３１における建築設備の計器を他の建築設備よりも強調することで、計器を他の建築設備と区別して表示する。
計器表示枠６４は、例えば、緑色の枠によって構成される。この計器表示枠６４の表示色は、他の機能で用いられる色とは異なり区別化されている。
【００６７】
そして、図１２（Ｂ）に示すように、計器表示枠６４に対して重ね操作が行われると、計器情報表示部２３４は、計器表示枠６４の枠線を、重ね操作が行われる前よりも太くすることで、建築設備を更に強調する再強調表示（ハイライト）を行う。
さらに、計器情報表示部２３４は、計器表示枠６４の再強調表示に伴って、計器の名称である建築設備名称６１１を画像表示面１１に表示する。
【００６８】
（扉情報表示部２３５）
図１３は、本実施形態の扉情報表示部２３５による表示の一例を示す図である。
図１３（Ａ）に示すように、扉情報表示部２３５は、撮影画像３１において、建築物における扉（出入口）に対し、扉表示枠６５を重畳表示する。そして、扉情報表示部２３５は、扉表示枠６５を表示することで、建築物における扉の位置をユーザに明示する。さらに、本実施形態では、扉情報表示部２３５は、扉表示枠６５を表示することで、画像表示面１１に表示されている撮影画像３１の部屋から、扉の向こう側の他の部屋の撮影画像３１に表示を切り替えることができることをユーザに示唆する。
【００６９】
扉表示枠６５は、建築物の扉などの開閉設備の輪郭を囲う枠画像によって表示される。これによって、扉情報表示部２３５は、部屋と部屋とを連絡する扉を他の扉よりも強調することで、対象の扉を他の扉と区別して表示する。
扉表示枠６５は、例えば、黄色の枠によって構成される。この扉表示枠６５の表示色は、他の機能で用いられる色とは異なり区別化されている。
【００７０】
そして、図１３（Ｂ）に示すように、扉表示枠６５に対して重ね操作が行われると、扉情報表示部２３５は、扉表示枠６５の枠線を、重ね操作が行われる前よりも太くすることで、建築設備を更に強調する再強調表示（ハイライト）を行う。さらに、扉情報表示部２３５は、扉表示枠６５が表示される扉の向こう側の部屋の部屋名称である部屋名称表示６５１を画像表示面１１に表示する。
【００７１】
さらに、扉表示枠６５には、扉表示枠６５が表示された扉を開けて扉の向こう側に移動した際の移動先の部屋にて撮影した撮影画像３１のリンクが貼られている。図１３（Ｂ）に示す撮影画像３１には、「第２室」と「第１室」との間に設けられる扉を「第２室」側から撮影した画像が表示されている。従って、扉情報表示部２３５は、扉表示枠６５に対して重ね操作が行われることで、部屋名称表示６５１として「第１室」を表示する。
【００７２】
そして、扉表示枠６５に対して選択操作が行われると、図１３（Ｃ）に示すように、扉情報表示部２３５は「第１室」にて撮影した撮影画像３１を画像表示面１１に表示する。なお、本実施形態の扉情報表示部２３５は、移動先の部屋において、扉に対して最も近い撮影地点（図１３（Ｃ）に表示されるフロア平面図４１の撮影地点番号４５で「１番」の撮影地点）にて撮影された撮影画像を画像表示面１１に表示する。
【００７３】
また、図１３（Ｂ）および図１３（Ｃ）に示すように、扉表示枠６５に対してユーザの操作が行われると、フロア平面図４１においては、移動後の部屋（この例では「第１室」）における撮影地点番号４５が表示され、移動前の部屋（この例では「第２室」）における撮影地点番号４５についての表示を消すようにしている。
【００７４】
（接続先情報表示部２３６）
図１４は、本実施形態の接続先情報表示部２３６による表示の一例を示す図である。
図１４（Ａ）に示すように、接続先情報表示部２３６は、撮影画像３１に対して接続先情報表示６６を重畳表示させる。
接続先情報表示６６は、撮影画像３１に表示される建築設備の接続先情報表示６６を、画像表示面１１に表示させるものである。
接続先情報表示６６は、建築設備が物理的に接続される建築設備の接続先（部屋）に関するテキスト情報である。例えば、接続先情報表示６６としては、建築設備が空調機器の室外機である場合、その空調機器の室外機によって温度等を制御する対象の部屋に関する情報を例示することができる。
なお、接続先情報表示６６は、上記の室外機に限定されない。接続先情報表示６６は、例えば建築設備が電力系の設備であれば、電力の供給先である部屋に関する情報でも良い。また、接続先情報表示６６は、例えば建築設備が水道系の設備であれば、上水の供給先である部屋に関する情報でも良い。
【００７５】
そして、図１４（Ｂ）に示すように、撮影画像３１において管理情報明示枠６１が表示された設備機器に対して重ね操作が行われると、接続先情報表示部２３６は、接続先情報表示６６をテキストによって表示する。なお、図１４（Ｂ）に示す例では、接続先情報表示６６は、建築設備名称６１１および管理情報名称６１２と共に画像表示面１１に表示される。
【００７６】
図１５は、撮影画像３１の表示の変化に伴う他の画像の表示の説明図である。
続いて、関係情報表示部２３による表示と、撮影画像３１に対する移動または拡大／縮小の操作との関係について説明する。なお、図１５に示す例では、管理情報明示枠６１や建築設備名称６１１および管理情報名称６１２を例に説明する。ただし、以下の動作は、他の画像やテキスト表示についても同様である。
【００７７】
図１５（Ａ）に示すように、画像表示面１１には、撮影画像３１のうち特定の建築設備に対して管理情報明示枠６１が表示されている。また、管理情報明示枠６１の表示に対応して、建築設備名称６１１および管理情報名称６１２がテキスト表示されている。
【００７８】
そして、図１５（Ｂ）に示すように、撮影画像３１を移動操作することで、撮影画像３１の内容が移動する。このとき、撮影画像３１に表示される管理情報明示枠６１は、移動されることで変位および変形する建築設備の撮影画像３１に追従して移動する。そして、管理情報明示枠６１は、撮影画像３１における視野角度の変化に伴う撮影画像３１の変形に合わせて形状が変化する。すなわち、移動後の建築設備の撮影画像３１の輪郭に対応して、管理情報明示枠６１の枠が表示される。
また、建築設備名称６１１および管理情報名称６１２についても、移動されることで変位および変形する建築設備の撮影画像３１に関わらず、操作の前後において同じ文字サイズが維持される。
【００７９】
なお、本実施形態において、説明の便宜上、例えば管理情報明示枠６１、特別情報アイコン６２、展開可能明示枠６３、計器表示枠６４、扉表示枠６５および接続先情報表示６６など各種画像が別々の撮影画像３１に表示される例を用いて説明しているが、別々に表示されることには限定されない。各種画像は、画像表示面１１の撮影画像３１に同時に表示される場合もある。
【００８０】
次に、端末装置１のハードウェア構成について説明する。
図１６は、本実施形態に係る端末装置１を構成するハードウェア構成例を示す図である。
図１６に示すように、コンピュータは、演算手段であるＣＰＵ（Central Processing Unit）１００ａと、主記憶手段であるメモリ１００ｃを備える。また、外部デバイスとして、磁気ディスク装置（ＨＤＤ：Hard Disk Drive）１００ｇ、ネットワークインターフェイス１００ｆ、ディスプレイ装置を含む表示機構１００ｄ、音声機構１００ｈ、キーボードやマウス等の入力デバイス１００ｉ等を備える。
【００８１】
図１６に示す構成例では、メモリ１００ｃおよび表示機構１００ｄは、システムコントローラ１００ｂを介してＣＰＵ１００ａに接続されている。また、ネットワークインターフェイス１００ｆ、磁気ディスク装置１００ｇ、音声機構１００ｈおよび入力デバイス１００ｉは、Ｉ／Ｏコントローラ１００ｅを介してシステムコントローラ１００ｂと接続されている。各構成要素は、システム・バスや入出力バス等の各種のバスによって接続される。
また、図１６において、磁気ディスク装置１００ｇにはＯＳのプログラムやアプリケーション・プログラムが格納されている。そして、これらのプログラムがメモリ１００ｃに読み込まれてＣＰＵ１００ａに実行されることにより、本実施形態に係る端末装置１における各機能部の機能が実現される。また、撮影画像表示部２１、フロア図表示部２２および関係情報表示部２３は、例えば、ＣＰＵ１００ａ、メモリ１００ｃ、磁気ディスク装置１００ｇ、入力デバイス１００ｉ、システムコントローラ１００ｂおよび表示機構１００ｄにより実現される。
【００８２】
さらに、本実施形態の建築設備の情報の表示の機能（図２参照）をコンピュータに実現させるプログラムは、例えば通信手段により提供することはもちろん、各種の記録媒体に格納して提供しても良い。
【００８３】
なお、本実施形態の建築設備の情報の表示は、端末装置１だけで構成されることに限定されない。例えば、端末装置１は、端末装置１をクライアントとして、端末装置１がネットワークを介してアクセスするサーバ装置とを備えた建築設備の情報の表示システムとして構成しても良い。この場合、端末装置１は、図２を参照しながら説明した機能をサーバ装置に持たせる。そして、端末装置１は、ユーザの操作に応じて、撮影画像３１や各種画像をサーバ装置から取得し、画像表示面１１に表示するようにしても良い。
【符号の説明】
【００８４】
１…端末装置、１１…画像表示面、２１…撮影画像表示部、２２…フロア図表示部、２３…関係情報表示部、３１…撮影画像、３２…撮影地点アイコン、３３…内部撮影画像、４１…フロア平面図、４５…撮影地点番号、４６…描画表示、４７…フロア選択リスト、５１…管理情報、５２…特別情報、６１…管理情報明示枠、６２…特別情報アイコン、６３…展開可能明示枠、６４…計器表示枠、６５…扉表示枠、６６…接続先情報表示
【図１】
2019061451.tif 000003
【図２】
2019061451.tif 000004
【図３】
2019061451.tif 000005
【図４】
2019061451.tif 000006
【図５】
2019061451.tif 000007
【図６】
2019061451.tif 000008
【図７】
2019061451.tif 000009
【図８】
2019061451.tif 000010
【図９】
2019061451.tif 000011
【図１０】
2019061451.tif 000012
【図１１】
2019061451.tif 000013
【図１２】
2019061451.tif 000014
【図１３】
2019061451.tif 000015
【図１４】
2019061451.tif 000016
【図１５】
2019061451.tif 000017
【図１６】
2019061451.tif 000018
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
建築物に設置された建築設備に関する情報の表示システムであって、
前記建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示し、
前記他の建築設備と区別して表示された前記建築設備の前記枠画像に対する操作に応じて、前記開閉部が開けられた当該建築設備の内部撮影画像を表示し、
前記内部撮影画像に対する操作により、前記関係情報を表示することを特徴とする建築設備に関する情報の表示システム。
【請求項２】
前記内部撮影画像に対して、前記関係情報が表示可能であること示す特定表示を行うことを特徴とする請求項１記載の建築設備に関する情報の表示システム。
【請求項３】
前記特定表示は、前記枠画像と表示態様が異なることを特徴とする請求項２記載の建築設備に関する情報の表示システム。
【請求項４】
前記建築設備の前記撮影画像に対し、前記枠画像に加えて、当該建築設備に関するテキスト情報を表示し、
前記建築設備の前記内部撮影画像が表示された際には、前記テキスト情報の表示態様を変化させることを特徴とする請求項１記載の建築設備に関する情報の表示システム。
【請求項５】
建築物に設置された建築設備に関する情報の表示システムであって、
前記建築物を撮影した撮影画像に含まれる複数の建築設備のうち筐体を開けた内部構造に関する関係情報を有する建築設備を他の建築設備と区別して表示し、
前記他の建築設備と区別して表示された前記建築設備の前記撮影画像に対する操作に応じて、当該建築設備の前記筐体を開けた状態を撮影した内部撮影画像を表示し、
前記内部撮影画像に対する操作により、前記関係情報を表示し、
前記内部撮影画像が表示される前記建築設備の前記撮影画像に対し、前記筐体の開けられる箇所を示す展開可能表示を行うとともに、当該展開可能表示に加えて当該建築設備に関するテキスト情報を表示し、
前記建築設備の前記内部撮影画像が表示された際には、前記テキスト情報の表示態様を変化させることを特徴とする建築設備に関する情報の表示システム。
【請求項６】
建築物に設置された建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示し、
前記他の建築設備と区別して表示された建築設備の前記枠画像に対する操作に応じて、前記開閉部が開けられた当該建築設備の内部撮影画像を表示する内部画像表示手段と、
前記内部撮影画像に対する操作により、前記関係情報を表示する関係情報表示手段と、
を備えることを特徴とする表示装置。
【請求項７】
表示装置として機能するコンピュータに、
建築物に設置された建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示する機能と、
前記他の建築設備と区別して表示された建築設備の前記枠画像に対する操作に応じて、前記開閉部が開けられた当該建築設備の内部撮影画像を表示する機能と、
前記内部撮影画像に対する操作により、前記関係情報を表示する機能と、
を実現させるプログラム。
【手続補正２】
【補正対象書類名】明細書
【補正対象項目名】０００５
【補正方法】変更
【補正の内容】
【０００５】
かかる目的のもと、本発明は、建築物に設置された建築設備に関する情報の表示システムであって、前記建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示し、前記他の建築設備と区別して表示された前記建築設備の前記枠画像に対する操作に応じて、前記開閉部が開けられた当該建築設備の内部撮影画像を表示し、前記内部撮影画像に対する操作により、前記関係情報を表示することを特徴とする建築設備に関する情報の表示システムである。
さらに、前記内部撮影画像に対して、前記関係情報が表示可能であること示す特定表示を行うことを特徴とすることができる。
そして、前記特定表示は、前記枠画像と表示態様が異なることを特徴とすることができる。
さらに、前記建築設備の前記撮影画像に対し、前記枠画像に加えて、当該建築設備に関するテキスト情報を表示し、前記建築設備の前記内部撮影画像が表示された際には、前記テキスト情報の表示態様を変化させることを特徴とすることができる。
また、かかる目的のもと、建築物に設置された建築設備に関する情報の表示システムであって、前記建築物を撮影した撮影画像に含まれる複数の建築設備のうち筐体を開けた内部構造に関する関係情報を有する建築設備を他の建築設備と区別して表示し、前記他の建築設備と区別して表示された前記建築設備の前記撮影画像に対する操作に応じて、当該建築設備の前記筐体を開けた状態を撮影した内部撮影画像を表示し、前記内部撮影画像に対する操作により、前記関係情報を表示し、前記内部撮影画像が表示される前記建築設備の前記撮影画像に対し、前記筐体の開けられる箇所を示す展開可能表示を行うとともに、当該展開可能表示に加えて当該建築設備に関するテキスト情報を表示し、前記建築設備の前記内部撮影画像が表示された際には、前記テキスト情報の表示態様を変化させることを特徴とする建築設備に関する情報の表示システムである。
また、かかる目的のもと、本発明は、建築物に設置された建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示し、前記他の建築設備と区別して表示された建築設備の前記枠画像に対する操作に応じて、前記開閉部が開けられた当該建築設備の内部撮影画像を表示する内部画像表示手段と、前記内部撮影画像に対する操作により、前記関係情報を表示する関係情報表示手段と、を備えることを特徴とする表示装置である。
さらにまた、かかる目的のもと、本発明は、表示装置として機能するコンピュータに、建築物に設置された建築物を撮影した撮影画像に含まれる複数の建築設備のうち開閉部を開けた内部構造に関する関係情報を有する建築設備を、当該建築設備の当該開閉部に対して枠画像を表示することで他の建築設備と区別して表示する機能と、前記他の建築設備と区別して表示された建築設備の前記枠画像に対する操作に応じて、前記開閉部が開けられた当該建築設備の内部撮影画像を表示する機能と、前記内部撮影画像に対する操作により、前記関係情報を表示する機能と、を実現させるプログラムである。